(57)【特許請求の範囲】
【請求項１】
環境空気から二酸化炭素を除去するためのプロセスであって、環境空気を吸収剤と接触状態になるように送気して、前記空気から二酸化炭素を吸収させる工程、前記吸収剤を加湿や湿度スイングして、二酸化炭素を放出させる工程、および前記放出された二酸化炭素を調節された環境の中に送達させる工程、を含み、前記吸収剤は、湿度が低下すると二酸化炭素を取り込み湿度が上昇すると二酸化炭素を放出するアニオン交換樹脂を含む、プロセス。
【請求項２】
前記アニオン交換樹脂を含む吸収剤が、不均一系イオン交換膜の構成成分であり、場合によっては、前記膜を使用するより前に、最初に水和させ、次いで乾燥させることによってイオン交換膜を前処理する工程を含む、請求項１記載のプロセス。
【請求項３】
前記調節された環境が、藻類を含むバイオリアクター又は温室を含む、請求項１に記載のプロセス。
【請求項４】
前記アニオン交換樹脂を含む吸収剤が、強い塩基性のタイプ１またはタイプ２官能性イオン交換樹脂を含む、請求項１に記載のプロセス。
【請求項５】
請求項１に記載のプロセスを実施するための装置であって：
空気から二酸化炭素を除去するための吸収剤を含む捕集器；
前記吸収剤が加湿や湿度スイングを用いて水への曝露を増加可能にされている前記吸収剤から二酸化炭素を放出させるための放出機構；および
温室又は藻類を含むバイオリアクターへ放出された二酸化炭素を送達するための送達機構；
を含む、装置。
【請求項６】
前記放出機構が、湿度スイングを用いて前記吸収剤から二酸化炭素を放出する、請求項５に記載の装置。
【請求項７】
前記バイオリアクターが、藻類の培地を通して放出された二酸化炭素をバブリングする再循環ポンプを有する、請求項５に記載の装置。
【請求項８】
前記バイオリアクターが、放出されたガス状の二酸化炭素を藻類の培地と接触状態に持ち込むための藻類の培地上で密閉されたヘッドスペース容積を有する、請求項５に記載の装置。
【発明の詳細な説明】
【技術分野】
【０００１】
本発明は、一つの態様においては、空気から選択されたガスを除去することに関する。具体的には、本発明は、空気から二酸化炭素（ＣＯ２）を抽出し、隔離するための効用を有し、そのような効用に関連して記述されるが、その他の効用もまた考えられる。
【背景技術】
【０００２】
大気中のＣＯ２のレベルの急激な上昇とそれに見合った地球表面の温度における上昇との間に強い相関が存在していることを示唆する、強い証拠が存在している。この効果は一般的に「地球温暖化」と呼ばれている。各種のＣＯ２の放出源の内でも、その発生源で緩和させることが実際的ではない、小型で広く分布している発生源が膨大な数で存在している。さらに、大規模な放出源たとえば炭化水素燃料の発電プラントでは、ＣＯ２を大気中に排出することが完全に防止されている訳ではない。これらのメインな発生源やその他の発生源が、大気中のＣＯ２濃度の急激な上昇速度を作り出している。すべての放出源がその発生源で是正されるようになるまでは、増大しつつあるが、それでも比較的低い濃度の大気中のＣＯ２のバックグラウンドレベルを捕捉するための別な技術が要望されている。既存の放出抑制技術を向上させ、さらには環境ＣＯ２を直接捕捉するための新しく新規な技術の開発のために努力が傾けられている。それらの努力においては、得られる濃縮されたＣＯ２の排気流れを、それが大気に再導入されないよう管理する方法が必要とされる。
【０００３】
ＣＯ２の発生が起きるのは、石炭からの発電プラントのような各種の工業用途においてや、典型的には、燃焼機器たとえばエンジンの中で燃焼される燃料の主成分である炭化水素の使用においてであるが、そのような燃焼機器から排出される排気ガスにはＣＯ２ガスが含まれ、現状ではそれが単純に大気中に放出されている。しかしながら、温室効果ガスの量が問題となるにつれて、すべての発生源からのＣＯ２の放出を削減しなければならなくなるであろう。移動発生源に関しては、自動車や航空機における移動燃焼機器からよりは、空気から直接ＣＯ２を捕集するのがベストな方法であろう。空気からＣＯ２を除去する利点は、それによって、移動機器でＣＯ２を貯蔵する必要がなくなる点である。
【０００４】
環境空気から二酸化炭素（ＣＯ２）を抽出することによって、炭素系燃料を使用し、稼働の後にそれに伴う温室効果ガスの放出を扱うことが可能となるであろう。ＣＯ２は、数ｐｐｍの量では有毒でも有害でもないが、単純に大気中に蓄積することによって環境問題を招くのであるから、空気からＣＯ２を除去することによって、どこか別の場所で別なタイミングで放出されたのと同じ量を補償することが可能となる。
【０００５】
しかしながら、従来技術のほとんどのものでは、空気からのＣＯ２の捕捉が不十分な結果となっているが、その理由は、それらのプロセスでは、空気を加熱したり、冷却したり、あるいは空気の圧力をかなり変化させたりしているからである。その結果として、そのクリーニングプロセスが、そのプロセスを運転するために使用される発電の副生物として大気中にＣＯ２を出す可能性があるため、ＣＯ２の正味の削減が無視可能な量となってしまう。
【０００６】
空気からＣＯ２を除去するための各種の方法および装置が開発されてきた。たとえば、本願発明者らは最近、物理的または化学的のいずれかで、ＣＯ２と結合し空気からＣＯ２を除去する捕捉溶媒を使用して、環境空気から二酸化炭素（ＣＯ２）を効率的に抽出するための方法を開示した。実用的なＣＯ２捕捉吸収剤の一つのタイプには、強アルカリ性水酸化物溶液たとえば、水酸化ナトリウムもしくは水酸化カリウム、または炭酸塩溶液たとえば、炭酸ナトリウムもしくは炭酸カリウムの塩水などが挙げられる。たとえば、特許文献１および特許文献２を参照されたい。
【０００７】
また、隔離したＣＯ２には多くの用途が存在している。これには、温室におけるＣＯ２の使用が含まれるが、そこでは、高いレベルのＣＯ２が植物の生長を促進させるのに役立つ。ＣＯ２は藻類の培地に供給してもよい。研究者らが示してきたところでは、藻類は、ＣＯ２を富化させた空気の流れからガス状のＣＯ２を最大９０％まで除去することが可能であり、また環境空気中のＣＯ２濃度を低減させることが可能である。
【先行技術文献】
【特許文献】
【０００８】
【特許文献１】国際公開第０６／０３６３９６号パンフレット                    （国際出願番号  ＰＣＴ／ＵＳ２００５／０２９９７９）
【特許文献２】国際公開第０７／０１６２７１号パンフレット                    （国際出願番号  ＰＣＴ／ＵＳ２００６／０２９２３８）
【特許文献３】米国特許第６，５０３，９５７明細書
【発明の概要】
【発明が解決しようとする課題】
【０００９】
本発明は、環境空気から二酸化炭素（ＣＯ２）を抽出し、その抽出したＣＯ２を調節された環境の中へと送達するための系、すなわち方法および装置を提供する。
【課題を解決するための手段】
【００１０】
第一の例示的な実施態様においては、本発明は、環境空気からＣＯ２を抽出し、その抽出したＣＯ２を温室へと送達する。強い湿度機能を有する（すなわち、そのイオン交換樹脂が湿度が低下するとＣＯ２を取り込み、湿度が上昇するとＣＯ２を放出する能力を有している）強い塩基性のイオン交換樹脂を使用して、環境空気からＣＯ２を抽出するのが好ましい。本発明のいくつかの態様においては、ＣＯ２を捕集器（ｃｏｌｌｅｃｔｏｒ）媒体から温室の空間の中へ移送して、ＣＯ２をバイオマスの中に再固定させることも可能である。本発明の一つの好ましい実施態様においては、温室に隣接して配置した抽出器（ｅｘｔｒａｃｔｏｒ）を使用して環境空気からＣＯ２を抜きだし、その抽出したＣＯ２を温室の内部に直接送達し、温室の空気をＣＯ２リッチとして、植物の生長を促進させる。
【００１１】
第二の例示的な実施態様においては、本発明は、捕集器媒体から藻類の培地へとＣＯ２を移送することを可能とし、そこでＣＯ２炭素をバイオマスに固定させる。藻類バイオマスは次いで、バイオケミカル化合物、肥料、土壌改良剤、健康食品、およびバイオ燃料の製造のために使用することが可能であり、いくつかの応用や最終用途を容易に挙げることができる。
【００１２】
本発明はさらに、ガス相中で、および重炭酸イオンとしてＣＯ２を移送することも開示している。一つの実施態様においては、石灰藻を使用するが、それが内部で炭酸カルシウムＣａＣＯ３を作り出し、そのＣａＣＯ３を吐き出して石灰石として沈降させる。
【００１３】
したがって、広い意味合いにおいては、本発明は、たとえば本願発明者らの上述の特許文献１および特許文献２に記載されているような、いくつかのＣＯ２抽出技術の一つを使用して、環境空気からＣＯ２を抽出する。炭酸塩／重炭酸塩溶液をメインＣＯ２吸収剤として使用した場合には、そのＣＯ２を担持している吸収剤を、藻類に対する飼料として直接使用してもよい。たとえば本願発明者らの上述の特許文献２において教示されているように、イオン交換樹脂を使用して抽出する場合には、二次的な炭酸塩／重炭酸塩洗浄を用いて樹脂からＣＯ２をストリップさせ、次いでその洗浄液を藻類に対する飼料として採用する。それに代わる好ましい実施態様においては、その炭酸塩を、光増強バイオリアクター中の藻類にフィードする。
【００１４】
したがって、本発明は、環境空気からのＣＯ２の捕捉、それに続くその捕捉したＣＯ２の処分の両方を目的とした、単純で比較的低コストの溶液を提供する。
【００１５】
本発明のさらなる特徴および利点は、添付の図面を参照しながら、以下の詳細な説明により明らかとなるであろう。
【図面の簡単な説明】
【００１６】
【図１】本発明による湿度感受性イオン交換樹脂の使用を説明するブロックフローダイヤグラムである。
【図２】（フィルターユニットが外壁に隣接して配置されている場合の）本発明によるＣＯ２抽出器／温室供給器（ｇｒｅｅｎｈｏｕｓｅ  ｆｅｅｄｅｒ）の模式図である。
【図３】（フィルターユニットが温室の屋根に隣接して配置されている場合の）本発明によるＣＯ２抽出器／温室供給器の模式図である。
【図４】本発明に従ったフィルターユニットの配列を示すＣＯ２抽出器／温室供給器の模式図である。
【図５】本発明のまた別な実施態様による、トラックの上に配列されたフィルターユニットを示す、ＣＯ２抽出器／温室供給器の模式図である。
【図６】本発明のまた別な実施態様による、対流タワーを含む、ＣＯ２抽出器／温室供給器の模式図である。
【図７】捕集器媒体に適用される湿度スイングを使用する、本発明によるＣＯ２抽出器および藻類の培地の模式図である。
【図８】捕集器溶液に適用される湿度スイングを使用する、本発明によるＣＯ２抽出器および藻類の培地の模式図である。
【図９】電気透析プロセスによるガス状ＣＯ２を移送させる、本発明によるＣＯ２抽出器および藻類の培地の模式図である。
【図１０】電気透析プロセスによる重炭酸塩を移送させる、本発明によるＣＯ２抽出器および藻類の培地の模式図である。
【図１１】捕集器を再生させるために藻類の培地を使用する、本発明によるＣＯ２抽出器および藻類の培地の模式図である。
【図１２】栄養素溶液を使用する、図１１に類似のＣＯ２抽出器および藻類の培地の模式図である。
【図１３】ガス透過膜を使用する、本発明によるＣＯ２抽出器および藻類の培地の模式図である。
【図１４】アニオン透過膜を使用する、本発明によるＣＯ２抽出器および藻類の培地の模式図である。
【図１５】図１４に類似の、ＣＯ２抽出器および藻類の培地の模式図である。
【図１６】シャワーを含む、本発明によるＣＯ２抽出器および藻類の培地の模式図である。
【図１７】図１６に類似の、ＣＯ２抽出器および藻類の培地の模式図である。
【発明を実施するための形態】
【００１７】
広い意味合いにおいて、本発明は、一つの態様においては、従来からのＣＯ２抽出方法か、または本願発明者らの上述のＰＣＴ出願に開示された改良されたＣＯ２抽出方法の一つを使用して、環境空気から二酸化炭素を抽出し、その抽出したＣＯ２の少なくとも一部を、閉じられた環境へ放出する。
【００１８】
第一の例示的な実施態様においては、この閉じられた環境が温室である。ＣＯ２抽出器を、温室に隣接させるのが好ましく（必須という訳ではない）、好ましい実施態様においては、その抽出器がさらに、強い日光の影響を受けやすい温室内で生育している作物に日陰を与えるか、および／または温室に対する冷却の必要性を抑制させるようにする。
【００１９】
ＣＯ２の捕捉に対する一つのアプローチ方法においては、加温した高湿度の空気と接触させることによって、樹脂媒体を再生させる。貯蔵媒体上に貯蔵されたＣＯ２の放出を湿度が刺激すること、ならびに、この方法によって３％〜１０％の間のＣＯ２濃度が達成可能であり、減圧／脱水系の場合においては、ほぼ１００％の達成が可能であることが判った。このアプローチ方法においては、ＣＯ２がガス相に戻り、液状媒体が捕集器材料と接触状態になることはない。
【００２０】
ＣＯ２抽出器が温室と直に隣接していて、温室の外側へ移動させてＣＯ２を捕集し、温室の内側へ移動させてＣＯ２を放出させる。そのような実施態様においては、乾燥させるとイオン交換樹脂がＣＯ２を抽出し、高湿度に暴露させるとＣＯ２を放出するような、湿度感受性イオン交換樹脂をＣＯ２抽出器が含んでいるのが好ましい。乾燥気候条件下では、湿度スイングを使用するのに最適であろう。そのような環境下においては、抽出器を温室の外側の熱い乾燥空気に暴露させて、そこで空気からＣＯ２を抽出する。次いでその抽出器を、温室の温かい高湿度の環境に移すと、そのイオン交換樹脂がＣＯ２を放出する。抽出器を温室の外から内へ、またはその逆に移動させるためのエネルギー以外には、エネルギーを直接投入することなく、そのすべてのプロセスを達成することができる。
【００２１】
イオン交換樹脂は市販されており、たとえば水の軟化や精製のために使用されている。湿度感受性イオン交換樹脂であり且つ強い塩基性の樹脂を含む、ある種の市販のイオン交換樹脂を使用すると、本発明による空気からＣＯ２を抽出する目的に有利に使用できることを本願発明者らは見出した。そのような物質を用いると、湿度が低い程、その樹脂への平衡炭素担持量が高くなる。
【００２２】
したがって、高湿度レベルではＣＯ２を担持していて、特定のＣＯ２の分圧と平衡状態になっているように見える樹脂は、湿度が高くなればＣＯ２を吐き出し、湿度が低くなればさらなるＣＯ２を吸収するであろう。その効果は大きく、その平衡分圧を数百ｐｐｍ、さらには数千ｐｐｍも容易に変化させることができる。その全取り込み性能と比較した場合、樹脂の上に炭素をさらに取り込んだり、減らしたりすることもまた意味のあることである。
【００２３】
湿度が移送係数におよぼす影響もまた存在している、すなわち、湿度を変動させると反応動力学もまた変動するように見える。しかしながら、樹脂から出入りする流束を測定すると、実際の分圧と熱力学的な平衡圧力との間の差に強く依存しているように見える。平衡圧力が湿度に連れて変動するために、反応動力学における実際の変動なしで、流束の大きさを左右することができる。
【００２４】
さらに、他の要件によっても動力学に影響を与えることが可能である。たとえば、本願発明者らが特に有用であることを見出したイオン交換材料は、カリフォルニア州サン・クレメンツ（Ｓａｎ  Ｃｌｅｍｅｎｔｓ，ＣＡ）のスノウピュア・ＬＬＣ（Ｓｎｏｗｐｕｒｅ  ＬＬＣ）から入手可能なアニオン（Ａｎｉｏｎ）Ｉ−２００イオン交換膜材料である。その製造業者の説明では、アニオン（Ａｎｉｏｎ）Ｉ−２００イオン交換膜材料は、強塩基性のタイプ１（Ｔｙｐｅ  １）官能性イオン交換材料であるとされている。この材料は、特許文献３に従って製造されたものと考えられ、また、ポリプロピレンのような不活性ポリマー中に封入された（または、部分的に封入された）小さな樹脂チャートを含んでいると考えられる。本願発明者らの見出したところでは、この材料をまず水和させ、次いでそれを乾燥させると、この材料は多孔質となって、その中を空気が容易に通過する。水和／脱水の処理は、主としてポリプロピレンバインダーを膨潤させることに作用していると考えられ、樹脂に対する恒久的な影響はほとんどまたはまったく無いが、それに対して、それに続く湿度スイングは、ポリプロピレンバインダーに対して観察されるような影響はまったく与えない。本願発明者らの見出したところでは、これらの強い塩基性のイオン交換樹脂材料は、乾燥空気からＣＯ２を抽出する性能を有しており、他の介入が一切なくても、湿度を上げさえすればＣＯ２を放出する。これらの材料が、乾燥状態では空気からＣＯ２を直接抽出し、湿度が高くなるとそのＣＯ２を吐き出す性能を有しているということは、これまで報告されたことがない。
【００２５】
上で示したように、使用する前にこの材料をまず水和させ、次いでそれを乾燥させることが必要であり、それによってこの材料が多孔質となって、その中に空気を通過させることが容易となる。水和させる前には、その膜材料は実質的に非多孔質であるか、または少なくとも、かなりの量の空気をその膜を通過させることは不可能である。しかしながら、水和と乾燥をさせた後では、その材料が、水和の際に樹脂が膨潤している間に、ポリプロピレンマトリックスが不可逆な変形を受けたのであろうと考えられる。その材料が一旦変形してしまうと、乾燥してその樹脂粒子が収縮した後でさえも、そのポリプロピレンマトリックスが広がった形を維持している。したがって、上述のスノウピュア（Ｓｎｏｗｐｕｒｅ）イオン交換材料のような実質的に非多孔質な材料では、使用する前に、その材料を水和させてから乾燥させることによって、その材料を前処理する必要がある。
【００２６】
本願発明者らは、湿度を変化させると、樹脂の上でのＣＯ２の平衡分圧にも大きな変化が起きることを観察した。湿度が、樹脂の状態を変化させるか、またはそれに代えて考慮するべき全部の系がＣＯ２／Ｈ２Ｏ樹脂系である。理論に拘束されることを望むものではないが、ＣＯ２を樹脂に結合させる自由エネルギーは、樹脂が平衡状態になっているＨ２Ｏの分圧の関数であると考えられる。
【００２７】
このことによって、温度スイングおよび／または圧力スイング（これらは、エネルギーコストをさらに加えることになって、系の総合的な二酸化炭素バランスに関して不利な影響をもたらす可能性がある）に依存する必要もなく、単に湿度をスイングさせることによって、樹脂にＣＯ２を吸収させたり、吐き出させたりすることが可能となる。
【００２８】
そのようなスイングに含まれる水の量は、極めて少量であると考えられる。湿度スイングの可能性としてはさらに、最小限の水のロスがあるだけで、空気捕集器からＣＯ２を回収することが可能となる。
【００２９】
その他の強い塩基性のタイプ１（Ｔｙｐｅ  １）およびタイプ２（Ｔｙｐｅ  ２）官能性イオン交換材料は、ダウ（Ｄｏｗ）、デュポン（ＤｕＰｏｎｔ）およびローム・アンド・ハース（Ｒｏｈｍ  ａｎｄ  Ｈａａｓ）など多くの供給業者から市販されており、製造業者から入手したままか、あるいはたとえば特許文献３の教示に従った不均質なイオン交換膜に成形した形かのいずれかで、本発明において有利に採用することができる。
【００３０】
図１に、本願発明者らの発明の第一の実施態様を示す。再循環サイクルの中に、第一イオン交換フィルター材料４を設ける。第一ポンプ１または第二ポンプ（図示せず）を用いて、バルブＶ１を開きながら系の大部分の空気を除去し、空気排出口２を通して押し出す。この時点では、バルブＶ１を閉じ、バルブＶ２およびＶ３を開くことによって、第二イオン交換捕捉樹脂を系の中に切り替える。第二イオン交換樹脂を使用して、湿度と場合によっては幾分かの熱を与えることができる。温かいスチームが第一イオン交換フィルター材料４からのＣＯ２の放出を刺激し、次いでそれを、ＣＯ２分圧とはまだ平衡に達していない第二イオン交換樹脂の上で捕捉する。系の中の水の容積は、それが再循環され、第二樹脂によって捕捉される訳ではないので、少量に留まったままである。ＣＯ２が第一イオン交換樹脂材料１４から解放され、第二イオン交換樹脂によって吸収されるのに対して、大部分の水は装置の中を循環する。移動されたり吸収されたりする可能性のある水の量は、移送されるＣＯ２の量よりは、はるかに少ない。サイクルの終わりの時点では、第一イオン交換フィルター材料１４がリフレッシュされ、第二イオン交換捕捉樹脂にＣＯ２が担持される。
【００３１】
この系を使用すれば、第一樹脂を洗浄したり濡らしたりすることなく、空気捕捉媒体たとえばイオン交換樹脂から第二樹脂の上に、ＣＯ２を移送することが可能である。このことは二つの利点を有している。第一には、その第一樹脂が、過去には使用されていた、本願発明者らの上述の特許文献２に記載されている、アミンのような化学物質に直接暴露されない。第二には、本願発明者らが見出したどころでは、湿らせた樹脂は、それを完全に乾燥させない限り、ＣＯ２を吸収させるには有効ではない。したがって、材料を湿らせることを避け、樹脂を低圧のスチームを用いて湿らせるような場合には、この方式で運転するのが有利である。スチーム圧力は１００Ｐａ未満として、周囲の数値と同程度の温度で飽和させることができる。しかしながら、ＣＯ２の交換は、温度が高いほど、そしてスチーム圧力が高いほど、明らかに加速される。温度を上げると不利になるのは、エネルギーをさらに消費するからである。
【００３２】
本明細書に概略説明する設計は、第二樹脂を、水を吸収することなくＣＯ２を吸収することが可能な各種のその他の吸収剤物質に置き換えるようなより広いタイプの設計の特別な一つの例である。そのような吸収剤としては、液状アミン、イオン性液体、固体のＣＯ２吸収剤たとえば、ジルコン酸リチウム、ケイ酸リチウム、水酸化マグネシウムもしくは水酸化カルシウム、または水蒸気およびＣＯ２を含むガス混合物からＣＯ２を吸収することが可能な、広く各種のタイプの化学的もしくは物理的吸収剤などが挙げられる。中心となるコンセプトは、第一吸収剤から、それを第二吸収剤と直接物理的に接触させることなくＣＯ２を除去するために、圧力スイングまたは温度スイングよりも湿度スイングを使用するという点にある。
【００３３】
［作物の収量を改良するための、温室における適用］
上で述べたように、温室における作物の収量は、温室の空気の中の二酸化炭素のレベルを上げることによって改良することができる。本発明は、化石燃料ＣＯ２を空気中に放出する燃料の燃焼を用いずに、温室の中に二酸化炭素を導入する方法を提供する。より詳しくは、本願発明者らは、本願発明者らが湿度感受性イオン交換樹脂を採用すると、乾燥した室外の空気からＣＯ２を捕捉し、次いでその樹脂を加温加湿した温室の空気に暴露させることによって、そのＣＯ２を温室の中へ放出させることが可能であるということを見出した。
【００３４】
米国の南西部にあるような、砂漠気候の温かい場所にある温室では、屋外でのＣＯ２の取り込みは、屋外の温度が低い夜間に実施するのがよく、それによってＣＯ２の取り込み容量を増大させることができる。温室が部分的にラジエーター加熱に依存するような、より寒冷な気候の場所では、本発明のＣＯ２取り込み系は、ＣＯ２を再生させるために冷たい空気中に放置することは必要とせず、そのため、温度があまりにも低くて燃料を用いた加熱が必要となるまでは、化石燃料を採用した加熱の必要性が抑制される。
【００３５】
一つの実施態様においては、本願発明者らは、湿度感受性イオン交換活性材料から作った数種のフィルターを採用している。サイクルの一部において、自然の風の流れによるか、熱対流によるかまたはファンで駆動することによって、フィルターを外部の空気に暴露させる。ファンを使用すると、不必要なエネルギーの損失が加わることになるので、ファンを使用しないのが好ましい。系の第二の部分においては、温室内部からの湿った空気を、たとえばファンによってフィルター材料の中を通過させ、それによって、温室雰囲気の中にＣＯ２を放出させるのが好ましい。いずれにしても、温室の中の環境制御は典型的にはファンシステムに依存するので、エネルギーの損失は、ほとんどまたはまったく無い。
【００３６】
植物は、夜間には呼吸するので、いくつかの温室の設計においては、温室の空気をフィルターを通過させて吸引することによって温室の空気からＣＯ２を除去することも可能である。日中には、そのフィルターをより高い湿度に暴露させて、ＣＯ２が温室内に放出されるようにすることが可能である。
【００３７】
一つの実施態様においては、図２Ａおよび２Ｂに示すように、フィルターユニット１０を、温室の外壁１２に隣接したところに配置し、場合によっては、旋回可能に取り付けられた壁パネル１４を介して、外部の空気または温室の空気を選択的にその中を通過させて循環させる。別な方法として、図３Ａおよび３Ｂに示すように、フィルター材料１０を、温室の屋根１８の外側または隣接させて配置するが、場合によっては、旋回可能に取り付けられた屋根パネル２０を介して、外部の空気または温室の空気を選択的にその中を通過させて循環させる。
【００３８】
本発明のさらに別な実施態様においては、図４に示すように、フィルターユニット１０を、空気からＣＯ２を抽出する場合の外側から、捕捉したＣＯ２を放出させる場合には温室の内側へと動かすことができる。これを実施するための一つの可能なオプションは、旋回可能な取り付けられた壁パネルまたは屋根パネル２２に取り付けられたフィルターユニットを有しているものであって、それを回転させることによって、温室の外側にあるフィルターユニットを温室の内側に暴露させたり、その逆を行わせたりすることができる。温室の内側にあるフィルターユニットは、ファンシステムによって空気をその中に吹き込んで通過させることができる。外部のフィルターユニットは、環境空気に暴露される。一つの好ましい実施態様においては、図４に示すように、太陽光発電で駆動される対流タワー２４の底端部に隣接させて屋外のフィルターユニット１０を配置する。その入口は、対流タワーの底端部に取り付けて、そこから冷たい空気が入って、自然対流によりタワーの中を上向きに流れるようにするのが好ましい。
【００３９】
また別な実施態様においては、図５に示すように、フィルターユニット１０を、たとえば、トラック２６から吊り下げて、温室に出入りさせる。
【００４０】
図６を参照すると、温室のためのさらに別なオプションでは、温室の外側の上に二重ガラス壁として対流タワーを位置させ、発生する対流の流れを使用して外部のＣＯ２を捕集する。その二重の壁は、日中では内部における熱負荷を抑制するのに役立ち、そのため空気を交換させる必要が低下するので、ひいては、温室の中で上昇させたＣＯ２レベルを維持することが可能となる。その二重ガラス壁は、夜間には熱のロスも抑制する。
【００４１】
この例においては、保護ガラスの表面４０が備わっていることで、ガラスハウス４２のメインの屋根から逃げる熱がいくぶんかは保持され、その屋根の表面上の環境空気の対流流れ４４を起こさせることができる。環境空気の流れは、ＣＯ２吸収性フィルター媒体４６の中を通過し、そのフィルター媒体は、たとえば回転屋根パネル４８のような、なんらかのメカニズムによって、第二の同様なフィルター媒体５０と置き換わって、そこで、温室内側の上部の空気がファン５２によって駆動されてそのフィルター媒体の中を通過して、そのフィルター媒体が温室の外側で環境空気に暴露されていたときに捕捉されたＣＯ２を取り出す。温室の内部の空気は湿っているので、そのフィルター媒体からＣＯ２が容易に放出され、温室の中で利用されるＣＯ２が増加する。
【００４２】
そのようなユニットの利点は、燃料を燃焼させることなく、ＣＯ２を高めたレベルで運転できる点にある。温室の中に空気を吹き込む必要がなく、ＣＯ２を温室の内部に送達するので、このことによって、温室の外部と内部との間で空気を入れ換えることを減らすことが可能となり、そのため、温室の熱管理および湿度管理が改良される。
【００４３】
本発明の第二の例示的な実施態様においては、ＣＯ２を抽出して、藻類または菌類のバイオリアクターに送達する。このことは、従来からのＣＯ２抽出方法を使用するか、あるいは本願発明者らの上述のＰＣＴ出願に開示されているような改良された抽出方法を使用するか、あるいは本明細書に開示されているような、たとえば湿度スイング法によって、実施することができる。湿度スイングは、藻類に送達するためのＣＯ２を抽出するには有利であるが、その理由は、その物理的な分離方法では、媒体と藻類の培養溶液との間の両立性には無関係に、各種の捕集器媒体を使用することが可能となるからである。ガス状のＣＯ２を移送することによって、マクロ藻類およびミクロ藻類、海水藻類または淡水藻類などいかなる藻類種でも選択可能となる。したがって、生長させる藻類種の選択は、環境因子および捕集器サイトの水質のみに依存することとなろう。たとえば、使用する藻類種は、その局所的な雰囲気、環境および水質条件に独自に順応させた、そのサイトで自然に生成する藻類から選択することができる。
【００４４】
捕捉したＣＯ２をガス状の形態で移送することには、二つの大きな利点が存在する。第一の利点は、その捕集器媒体および／または捕集器再生溶液が、藻類の培養溶液および／または藻類と接触することがないという点にある。第二の利点は、藻類のすべての種が、ガス状のＣＯ２を吸収することが可能であるという点である。
【００４５】
特定の藻類の培地のＣＯ２耐性に応じて、ＣＯ２富化空気を複数の藻類の培地に連続的にポンプ送入して、ＣＯ２耐性を低下させ、ＣＯ２の取り込み効率を上昇させることができる。別な方法として、その空気を希釈して、最適なＣＯ２濃度とすることもできる。
【００４６】
図７を参照すると、本発明の一つの実施態様では、湿度スイングを使用してガス状のＣＯ２を捕集器媒体から追い出すことが可能であるという事実を利用している。その湿度スイングでは、捕捉したＣＯ２をガス状ＣＯ２として、捕集器１１０から藻類の培地１１６へと移送している。ＣＯ２を担持したイオン交換捕集器媒体は、湿度を上昇させるかまたは水を用いて湿らせると、ガス状ＣＯ２を放出するであろう。次いで、ＣＯ２供給ガス流れの湿度が低下したりおよび／または捕集器媒体が乾燥したりすると、その捕集器媒体がより多くのガス状ＣＯ２を吸収するであろう。
【００４７】
本発明では、捕集器媒体および藻類の培地の上に共通のヘッドスペースを備えている。このことによって、捕集器媒体を藻類の培養溶液から物理的に分離しながらも、藻類をガス状ＣＯ２に暴露させている。そのヘッドスペースは、環境空気からは隔離する。次いで、その密閉されたヘッドスペース容積の中で湿度を上げる。別な方法として、その捕集器媒体を加湿してもよい。捕集器媒体から放出されたＣＯ２は、ヘッドスペース全体に速やかに拡散し、藻類の培養溶液の表面に接触する。
【００４８】
次いでＣＯ２を、藻類の培地の中に移送するが、それには、ガス拡散によるか、あるいは再循環ポンプを使用してヘッドスペースガスを藻類の培養溶液中へバブリングさせるかのいずれかの方法を用いる。藻類がヘッドスペースからＣＯ２を除去するにつれて、捕集器媒体はガスを排出しつづけて、平衡に到達させようとする。藻類の培養溶液は機械的に撹拌することもできる。必要に応じて、すべてその他の栄養素および光を藻類に与える。次いで藻類を、藻類収穫器（ａｌｇａｅ  ｈａｒｖｅｓｔｅｒ）１２０の中に捕集するのがよい。
【００４９】
濡らした捕集器媒体上のヘッドスペース中のＣＯ２濃度は最大で２０％、すなわち０．２大気分圧である。その濃度は、捕集器媒体対ヘッドスペースの容積対容積の比によって調節することができる。さらに、捕集器媒体は、湿度スイング／加湿の間に捕捉したＣＯ２の６０％を放出することができる。
【００５０】
別な方法として、ＣＯ２を移送する目的で、捕集器媒体容積から藻類の培地の中へガスをポンプ移送することも可能である。藻類池（ａｌｇａｅ  ｐｏｎｄ）が温かく湿っているならば、その藻類池からの湿分が、これもまた湿度スイングメカニズムによって、乾燥樹脂からのＣＯ２の放出を刺激するのには充分となりうるであろう。
【００５１】
図８を参照すると、本発明の別な実施態様においては、環境空気の中のＣＯ２濃度は、ＣＯ２が重炭酸塩アニオンとして結合できるレベルにまで、ＣＯ２を用いてイオン交換媒体を飽和させることができる。この実施態様は、アルカリ性の溶液を使用して捕集器媒体を再生させることも提供する。その再生の間に、溶液の中のアニオン組成物がほぼ１００％の重炭酸塩に変化する。重炭酸塩水溶液は大気圧条件化では不安定であって、ガス状のＣＯ２を放出する。ガス状のＣＯ２の放出は、再循環ポンプを使用してその溶液にヘッドスペースの空気をバブリングさせることによって加速させることができる。
【００５２】
それに代わる実施態様では、捕集器再生溶液と藻類の培養溶液との上に共通のヘッドスペースを与える。このことによって、再生溶液を藻類の培養溶液から分離しながらも、藻類をガス状ＣＯ２に暴露させる。また別な態様においては、このヘッドスペースを、先に説明したように、捕集器媒体のためのヘッドスペースと同様に操作する。
【００５３】
図９を参照すると、本発明のまた別な代わりの実施態様においては、電気透析（ＥＤ）プロセスを使用して、担持状態の捕集器溶液からガス状のＣＯ２を遊離させる。次いでその遊離されたＣＯ２を、藻類の培地２１６の中に移送する。電気透析（ＥＤ）プロセスを介して、捕集器２１０から藻類の培地２１６へガス状ＣＯ２を移送することは、捕集器溶液または吸収剤と藻類の培養溶液とが、そのプロセスのすべての段階で、相互に物理的に分離されているという利点を有している。このことは、それら二つの溶液の混合を防止し、さらにそれらの溶液の間でのイオン交換も防止する。ＥＤプロセスはこの点では、湿度スイングプロセスと共通点がある。さらに、湿度プロセスの場合と同様に、そのように物理的に分離されていることによって、媒体と藻類の培養溶液との間の両立性とは無関係に、どのような捕集器媒体を使用することも、またどのような藻類を使用することも可能となる。
【００５４】
本発明のそれに代わる実施態様では、ＥＤプロセスを使用して、ガス状のＣＯ２を捕集器再生溶液から追い出すことができるという利点を有している。ＥＤプロセスにおいては、担持状態の捕集器再生溶液を、二つの流れに分けて、ＥＤセル２１４の中に送る。二次膜２３６を通してプロトンを第一の流れに加え、無機炭素をガス状のＣＯ２として追い出す一方で、カチオン膜２３４を通してナトリウムカチオンを第二の流れに移送する。ナトリウムイオンに加えて、水酸基イオンを別の二次膜２３６を通してその第二の流れに添加することによって、この流れの中の重炭酸塩を中和して炭酸塩とする。
【００５５】
第一の流れは、水または希重炭酸ナトリウム溶液としてＥＤセルから出るが、それに対して第二の流れは、濃炭酸ナトリウム溶液として出て行く。その二つの流れを合わせて、フレッシュな捕集器溶液を形成させる。第一の流れから追い出されたガス状のＣＯ２を、藻類の培地の中へバブリングさせ、バイオマスとして固定化させる。
【００５６】
無機炭素が塩水から除去されるにつれて、その溶液がよりアルカリ性となり、そのｐＨを維持するためには、追加の重炭酸塩を添加することが必要となる。濾過によって、流体の幾分かを回収し、それによりバイオリアクターからの水およびナトリウムを戻すことができる。一つの具体的な実施態様においては、その電気化学セルを二つの分離された流体サイクルの間で使用するが、その一つはかなりのアルカリ性であって、それを捕集器と電気化学セルの塩基側との間に流し、もう一つは、ほぼ中性のｐＨで、藻類リアクターとセルの酸側との間に流す。炭酸は、セルの塩基側から酸側へと移送される。このステップで洗液を再生し、流体にＣＯ２を再び担持させる。
【００５７】
重炭酸塩吸収剤を藻類に供給することによって、ＣＯ２をまず転換させてＣＯ２ガスに戻すことなく、ＣＯ２を吸収剤から除去することができる。さらに、空気捕捉側で好適な吸収剤物質を選択することによって、洗浄流体のｐＨを低く保つことが可能となり、そして、比較的高いｐＨに耐性のある藻類を使用するならば、電気透析によって作る必要があるｐＨ差が比較的小さくなり、いくつかの実施態様においては、透析セルを完全に省略することが可能である。
【００５８】
図１０を参照すると、本発明のまた別な実施態様では、ＥＤプロセスを使用して、捕集器溶液中の重炭酸塩濃度を下げ、藻類の培養溶液中の重炭酸塩濃度を上げる。捕集器溶液が重炭酸塩状態でＥＤセル２１４に入るのに対して、藻類の培養溶液は炭酸塩状態でＥＤセルに入る。流体がＥＤセルから出ていくときには、捕集器溶液が炭酸塩状態となり、藻類の培養溶液が重炭酸塩状態となっている。
【００５９】
カチオンが藻類の培養溶液から捕集器溶液へと移送されるので、藻類の培養溶液は希釈されてその規定度がほぼ半分になるのに対して、捕集器溶液の規定度はほぼ倍になる。ナトリウムのアンバランスを埋め合わせるために、担持状態の捕集器溶液（重炭酸塩の形）の半分を、捕集器から藻類の培地に直接移送する。
【００６０】
本発明によるプロセススキームにおいては、カチオン交換膜２３４を通過させて、藻類溶液から捕集器溶液の中へとカチオンを移送させる。その藻類の培養溶液に主としてナトリウムカチオンが含まれるが、さらにはカリウム、マグネシウムおよびカルシウムイオン、さらには微量のその他の金属カチオンが含まれる。マグネシウムおよびカルシウムの移送の可能性が問題となるが、その理由はそれらいずれのイオンも、かなり難溶性の炭酸塩および水酸化物を形成するからである。それらの塩の形成は、スケーリングとも呼ばれ、ＥＤセルおよび／または捕集器媒体の中で膜を汚染する可能性がある。
【００６１】
藻類の生長サイクルの開始時に、カルシウムおよびマグネシウムを鉱物質栄養素として藻類の培地に添加する。藻類バイオマスが増殖するにつれて、カルシウムおよびマグネシウムがそのバイオマスの中に取り込まれ、藻類の培養溶液におけるそれらの濃度が低下する。同時に、重炭酸塩溶液が炭酸塩溶液に変化するために、培養溶液のｐＨが高くなる。マグネシウム、カルシウムおよび炭酸イオンがそれらの溶解度積よりも多く存在すると、化学的な沈降のために、マグネシウムおよびカルシウムイオン濃度がさらに低下するであろう。
【００６２】
カルシウムおよびマグネシウム濃度が低下し、ｐＨの高い、排出された培養溶液がＥＤセルの中に入っていく。そこで、培養溶液が炭酸塩溶液から重炭酸塩溶液へと変化し、それに従ってそのｐＨも低下する。炭酸イオン濃度が低下するにつれて、その溶液はより大量のカルシウムおよびマグネシウムを保持することが可能となる。そのために、ＥＤセルのこの部分ではスケーリングは起きにくい。
【００６３】
しかしながら、同時に、カルシウムおよびマグネシウムを含むカチオンが、藻類の培養溶液２１６からＥＤの捕集器溶液ハーフセルへ移送される。このハーフセルにおいては、捕集器から来た重炭酸塩溶液が変化して炭酸塩溶液となり、炭酸塩濃度とｐＨが高くなる。さらに、浸透セル２２４を使用して、重炭酸塩溶液から過剰のＨ２Ｏを除去してもよい。
【００６４】
そのプロセスは、出て行く捕集器溶液のｐＨが入ってくる藻類溶液のｐＨに近くなるように設計する。したがって、すべてのバランスがとれている限り、スケーリングが起きる筈がない。しかしながら、完全なバランスをとることは、マクロスケールでは必ずしも現実的ではなく、またＥＤセルの内部のようなミクロスケールでは不可能かもしれない。水酸基またはカチオン濃度の高いミクロ層またはポケットが膜の表面上に形成さることもあり得る。膜の表面での濃度が高くなると、捕集器溶液ハーフセル中でのスケーリングの原因となる可能性がある。
【００６５】
スケーリングを最小限とするためには、カルシウムおよびマグネシウムカチオンの流束を最小限としなければならない。このことは、電気透析による海水からの塩の製造、水酸化ナトリウムの製造、およびスキムミルクの加工などにおいては周知の問題である。（Ｔ．サタ（Ｔ．Ｓａｔａ）、１９７２；Ｔ．サタ（Ｔ．Ｓａｔａ）ら、１９７９、２００１；Ｊ．バルスター（Ｈ．Ｂａｌｓｔｅｒ）、２００６）。流束を最小限とするためには、二つのハーフセルを分離しているカチオン膜が、１価イオン選択性でなければならない。一般的には、強酸のカチオン交換膜は、１価イオンよりも２価イオンに対して、高い輸率を示す。このことは、負に荷電した固定されたイオン交換サイトと共に、静電引力が高いためであると推測される。従来技術からも、膜の上の電荷密度が低いほど、２価カチオンの輸率が低くなることは判っていた。
【００６６】
２種の市販されている高度に１価のカチオン選択性膜が、このプロセスに特に好適であることが立証された。一つの膜は、旭硝子（Ａｓａｈｉ  Ｇｌａｓｓ）により製造され、セレミオン（Ｓｅｌｅｍｉｏｎ）ＣＳＶの名称で販売されているものである。第二のものは、徳山曹達（Ｔｏｋｕｙａｍａ  Ｓｏｄａ）により製造され、ネオセプタ（Ｎｅｏｓｅｐｔａ）（登録商標）ＣＩＭＳの名称で販売されているものである。セレミオン（Ｓｅｌｅｍｉｏｎ）ＣＳＶの場合の輸率（ｔ）は、ｔ（Ｎａ）＜０．９２、ｔ（Ｃａ、Ｍｇ）＜０．０４である。ネオセプタ（Ｎｅｏｓｅｐｔａ）ＣＩＭＳの場合の輸率は、ｔ（Ｎａ、Ｋ）＝０．９０、ｔ（Ｃａ、Ｍｇ）＝０．１０である。輸率とは、電気透析の際のカチオンの等価流束を全等価流束で割り算をしたものと定義される。
【００６７】
本発明のこの態様では、１価カチオン選択性膜を使用して、多価カチオンが藻類の培養溶液から捕集器再生溶液に移送されることを最小限に抑える。時間とともに堆積するスケーリングはすべて、酸溶液を使用すれば除去できるであろう。
【００６８】
捕集器溶液と同様に藻類の培養溶液も共に、ＥＤセルへ入る前に濾過して、粒状物による膜の汚れを防止する。有機分子は、有機物捕捉イオン交換樹脂の手段を用いて、藻類の培養溶液から捕捉する。
【００６９】
図１１を参照すると、本発明のまた別な実施態様においては、空気から捕捉されたＣＯ２を、それを担持した状態の捕集器溶液３１０を藻類に与えることによって藻類に渡す。その担持状態の捕集器溶液は、重炭酸ナトリウムに富んでいる。その捕集器溶液に栄養素を添加すると、それが藻類のための飼料となる。本発明のこの実施態様においては、その溶液供給物は再循環されないので、その捕集器溶液は消耗品となる。
【００７０】
このプロセスにおいては、重炭酸ナトリウムが次々と加わってくると、藻類の培養溶液３１６の塩含量が高くなるであろう。藻類を生長させる間に、重炭酸ナトリウムが変化して炭酸塩となる。炭酸塩濃度を低下させるため、および塩漬けになるのを遅らせるために、ナトリウム塩としての代わりに酸として残りの栄養素のいくつかを加えることが可能であり、それが炭酸イオンを重炭酸塩に転化させ、ナトリウムの追加を最小限に抑える。
【００７１】
別な方法として、重炭酸ナトリウム吸収剤を藻類リアクターに直接供給して、藻類にＣＯ２を供給し、その藻類を除去してさらなる加工にかけ、炭酸ナトリウムを空気抽出ステーションに戻す。
【００７２】
多くの藻類は、それらの炭素源として重炭酸塩を利用することができる。さらに、いくつかの藻類は、それらの炭素源としてＣＯ２よりは重炭酸塩の方を好む。それらは多くの場合、アルカリ性湖に固有の藻類であることが多いが、そのような場所では無機炭素が主として重炭酸塩として存在している。それらの藻類は、８．５から最高１１までの広いｐＨの変動に耐えることができる。他の藻類では、それらの炭素源としてＨＣＯ３−を利用することができるが、それらはｐＨ＝９未満のｐＨ域を必要としており、そのためには重炭酸塩／炭酸塩溶液の中にＣＯ２をバブリングしてやる必要がある。
【００７３】
藻類は炭素源を使用して、光合成によりバイオマスを産生する。光合成では、重炭酸塩ではなくＣＯ２を必要とするので、藻類は次の反応の触媒作用を果たす。
ＨＣＯ３−  →  ＣＯ２  ＋  ＯＨ−
【００７４】
ＨＣＯ３−の存在下では、これが次のようになる。
ＨＣＯ３−  ＋  ＯＨ−  →  ＣＯ３−２  ＋  Ｈ２Ｏ
【００７５】
重炭酸塩溶液の中で藻類が生長すると、その溶液には次の変化が現れる：（１）ＨＣＯ３−濃度の低下；（２）ＣＯ３−２濃度の上昇；および（３）ｐＨの上昇。
【００７６】
また別な実施態様では、本発明では、藻類の培養溶液を使用して捕集器を再生させる。炭酸塩の形態にある捕集器媒体は、その媒体のアニオン組成がほとんど重炭酸塩１００％となるまで、環境空気からガス状ＣＯ２を吸収する。この状態においては、捕集器媒体が完全に担持状態となり、ＣＯ２の吸収は停止する。炭酸塩溶液を再生において使用し、イオン交換によって、担持状態の捕集器媒体を炭酸塩の形態に戻す。完全に担持状態となった捕集器媒体にアニオン交換させることによって、その再生溶液のアニオン組成を、炭酸塩１００％から重炭酸塩ほぼ１００％に変化させることができる。向流再生プロセスにおいて、捕集器媒体を炭酸塩の形態にすることが可能であり、その一方で炭酸塩の再生溶液は重炭酸塩溶液に変化する。その再生溶液は、重炭酸塩の形態になれば完全に担持された状態であるが、その理由は、それがもはや捕集器媒体からそれ以上の重炭酸塩を除去することができないからである。
【００７７】
重炭酸塩の脱水と中和（上記参照）によって、担持状態の再生溶液から捕捉されたＣＯ２を除去するために、藻類がそのプロセスに導入される。藻類は、バイオマス生長のために、その遊離状態となったＣＯ２を利用する。そして再生溶液は、重炭酸塩から元の炭酸塩の溶液に変化する。
【００７８】
このプロセスにおいては、炭酸塩再生溶液と捕集器媒体はリサイクルさせるが、その一方で環境空気のＣＯ２は藻類バイオマスへと変化する。このことが、図１１に示されている。
【００７９】
このプロセスは、イオン交換捕集器媒体が空気のＣＯ２を吸収するサイクルを与える。その吸収の間に、捕集器媒体が炭酸塩から重炭酸塩の形態に変化する。次いでその再生溶液が、担持状態の捕集器媒体から空気のＣＯ２を引き出す。この交換において、捕集器媒体は元のその炭酸塩の形態へと戻り、それに対して再生溶液は炭酸塩から重炭酸塩溶液へと変化する。最後に、藻類が、担持状態の再生溶液から空気中ＣＯ２を除去して、バイオマスの中にそれを固定化する。このステップにおいては、藻類が、重炭酸塩からＣＯ２と炭酸塩への反応の触媒作用を果たす。ＣＯ２の炭素が藻類のバイオマスの中に結合される。炭酸塩は溶液の中に残る。こうして得られた再生溶液は炭酸塩の形態である。
【００８０】
本発明のまた別な実施態様においては、藻類の培養溶液を、捕集器の再生溶液として使用する。このことは、その捕集器再生溶液が、炭酸塩に加えて、藻類が必要としているその他の栄養素も含んでいるということを意味している。それらの栄養素の中には、捕集器媒体とのイオン交換の際に炭酸塩アニオンと競合するようなアニオンも存在している。
【００８１】
このプロセスにおいては、珪藻植物は使用しないが、それは、珪藻植物はシリカを必要とするが、シリカは、炭酸塩洗浄を用いては捕集器媒体から十分に除去できないからである。
【００８２】
藻類の培地に典型的に見出されるその他のアニオン性の栄養素は、硝酸塩（ＮＯ３−）、硫酸塩（ＳＯ４−２）、およびリン酸塩（ＰＯ４−３）である。リンは、ｐＨに依存して、二塩基性リン酸塩（ＨＰＯ４−）として、または一塩基性リン酸塩（Ｈ２ＰＯ４−）として存在することもできる。
【００８３】
典型的な藻類培地における硝酸塩、硫酸塩およびリン酸塩の濃度は、次の通りである。
【００８４】
【表１】
0005849327.tif 000002
【００８５】
しかしながら、先行技術の示すところでは、藻類は、典型的な培地に含まれているよりは遙かに低い栄養素濃度で生長することができる。
【００８６】
捕集器媒体の上での栄養素濃度の効果を推定するために、以下の割合で栄養素含有再生溶液を混合した：０．１４ＭのＣＯ３−２、０．０４ＭのＮＯ３−、０．００１７ＭのＳＯ４−２、および０．００１７ＭのＨ３ＰＯ４−。これらは、藻類の培地に見出しうる最高濃度を表しており、従って、最悪のケースのシナリオである。
【００８７】
次いで、捕集器媒体をこの「最悪のケース」の溶液を用いてフラッシュして、その溶液と捕集器媒体との間で平衡に達するようにする。炭酸塩溶液のｐＨにおいては、リンは二塩基性リン酸塩（ＨＰＯ４−２）として存在している。二塩基性リン酸塩は、ＣＯ２を吸収させるには十分な塩基性である。したがって、捕集器媒体に二塩基性リン酸塩アニオンが存在していることによって、その媒体のＣＯ２取り込み性能が低下するということはないであろう。平衡状態においては、捕集器媒体の全交換サイトの約５０％が、炭酸塩およびリン酸塩イオンで占められ、５０％が硝酸塩および硫酸塩で占められていることが判った。他の栄養素が炭酸塩よりも圧倒的に多いが、それらが完全に置き換わる訳ではなく、むしろ、アニオン平衡が成立していて、それは、捕集器媒体にさらなる量の溶液を加えても変化しない。
【００８８】
実験から、最悪のケースのシナリオにおいては、捕集器媒体がそのＣＯ２取り込み性能の約５０％を放棄することが判った。しかしながら、上述の検討からも判るように、溶液中の栄養素濃度は、藻類が生長している間に、顕著に低下させることができる。たとえば、硝酸塩は、無機炭素に次いで圧倒的に最も豊富な栄養素であるが、０．００２Ｍ、すなわち最悪のケースのシナリオ実験で使用された濃度のほんの５％まで低下させることができる。さらに、リン酸塩は最悪のケースのシナリオの４５％にまで低下する。
【００８９】
さらに、栄養素が低減した溶液を用いて洗浄した捕集器媒体は、そのＣＯ２取り込み性能の約２０％を放棄することになるであろう。したがって、その捕集器媒体を使用し、藻類生長媒体から取り出した炭酸塩溶液を用いてそれを洗浄することが可能となる。
【００９０】
藻類は、代謝または崩壊の際に、溶液の中に有機化合物を分泌または放出するであろう。それらの有機物は、その溶液を捕集器媒体に適用するより前に、その溶液から捕捉する。有機物の捕捉は、吸着剤タイプのイオン交換樹脂またはその他のプロセスを用いて実施するのがよい。
【００９１】
このプロセスにおいては、珪藻植物は使用しないが、それは、珪藻植物はシリカを必要とするが、シリカは、炭酸塩洗浄を用いては捕集器媒体から十分に除去できないからである。
【００９２】
本発明の実施態様において好適な藻類は、次のような特性を有するものである：それらは、高イオン強度液体に順応する；それらは、８．５からほぼ１１の範囲のｐＨにおいて生長することができる；それらは、徐々に起きるｐＨ変化に耐えられる；それらは、それらの炭素源として重炭酸塩を使用することができる；それらは、栄養素としてのシリカをほとんど必要としない；それらは、溶液のｐＨを８．５から１１以上にまで変化させることが可能である；それらは、栄養素濃度を低いレベルまで下げることができる；それらは、生化学、農業、水産業、食品、バイオ燃料などにおいて使用することができる。
【００９３】
アルカリ性の水中に住む、たとえばスピルリナ・プラテンシス（Ｓｐｉｒｕｌｉｎａ  ｐｌａｔｅｎｓｉｓ）、スピルリナ・フジフォルミス（Ｓｐｉｒｕｌｉｎａ  ｆｕｓｉｆｏｒｍｉｓ）、スピルリナ（Ｓｐｉｒｕｌｉｎａ）種、テトラエドロン・ミニマム（Ｔｅｔｒａｅｄｒｏｎ  ｍｉｎｉｍｕｍ）などの藻類が有望な候補であるが、これらに限定される訳ではない。
【００９４】
この実施態様には種々の代替え方法が存在する。担持状態の捕集器溶液（栄養素を欠乏させた重炭酸塩溶液）を、フレッシュな栄養素と共に藻類の培地に添加する；藻類の培地が、その無機炭素源として重炭酸塩を利用し、重炭酸塩の炭素の約５０％をバイオマスの中に取り込み、残りの５０％を炭酸塩アニオンに変化させる。同時に、藻類の培地によって、溶液中の栄養素濃度が低下する。その培地を濾過して、藻類のバイオマスを収穫し、その一方で栄養素が欠乏した溶液をＣＯ２捕集器に向けて流す。その栄養素が欠乏した溶液から、捕集器媒体にとって有害な有機物およびその他の物質を除去する。そこで今や炭酸塩リッチとなった溶液を使用して、捕集器を再生させる。そのプロセスにおいては、それぞれの炭酸塩アニオンを、捕集器溶液が担持状態になるまで、２個の重炭酸塩アニオンによって置換する。担持状態の捕集器溶液を、フレッシュな上述のような栄養素と共に、藻類の培地に添加する。
【００９５】
そのプロセスは、実際の場所や藻類のタイプなどにより、連続ループまたはバッチプロセスの、いずれかより実際的な方法として実施することができる。そのプロセスでは、既に使用され実証されている藻類培養技術を用いることもできるし、あるいは、新規な技術を用いることもできる。たとえば、カリフォルニア（Ｃａｌｉｆｏｒｎｉａ），ハワイ（Ｈａｗａｉｉ）、フィリピン（ｔｈｅ  Ｐｈｉｌｉｐｐｉｎｅｓ）およびメキシコ（Ｍｅｘｉｃｏ）などの土地においては、スピルリナ（Ｓｐｉｒｕｌｉｎａ）、クロレラ・ブルガリス（Ｃｈｌｏｒｅｌｌａ  ｖｕｌｇａｒｉｓ）、アンキストロデスムス・ブラウニイ（Ａｎｋｉｓｔｒｏｄｅｓｍｕｓ  ｂｒａｕｎｉｉ）およびその他の種を戸外の池で培養することに成功した。国立再生エネリギー研究所（ｔｈｅ  Ｎａｔｉｏｎａｌ  Ｒｅｎｅｗａｂｌｅ  Ｅｎｅｒｇｙ  Ｌａｂｏｒａｔｏｒｙ）（ＮＲＥＬ）によれば、戸外の池、たとえば、いわゆる「レイス・ポンズ（ｒａｃｅ  ｐｏｎｄｓ）」が、藻類の大量のバイオマスを生長させるには最も効率的な方法である。
【００９６】
培養には、太陽エネルギー、人工照明またはそれら両方を使用してもよいが、いずれにするかは、藻類の種と運転場所に依存する。藻類の培養溶液を撹拌して、光の進入度が最も高いゾーンに藻類を戻してやってもよい。あるいは、鏡、光ファイバーおよびその他の手段を用いて、藻類の培地に光を持ち込むこともできる。
【００９７】
藻類は、溶液の中に懸濁させても、固定化させてもよい。懸濁させる場合には、藻類はそれら自体の生長パターンたとえば単細胞、コロニー、凝集塊などに従う。天然の生長パターンが、工業的に使用する場合にも最適な適合になるとは限らない。たとえば、小型の単細胞の藻類では、採取プロセスを構成する必要があるかもしれない。
【００９８】
たとえばマクロ藻類のように、藻類が、それ自体表面に付着して、自然に固定化されることもあり得る。あるいは、藻類は、ｋ−カラゲーナンもしくはアルギン酸ナトリウムを使用したビーズ中、ポリウレタンフォーム中、フィルター材料上、またはカラム充填物上のバイオフィルムとして、あるいはその他の方法で固定化することができる。
【００９９】
固定化された状態においても、藻類をたとえばビーズの形態でさらに懸濁させ、溶液と共に移動させることもできる。別な方法として、その固定化された藻類をカラムまたはその他の装置の固定相とし、それに対して溶液を浸透通過させてもよい。
【０１００】
本発明のまた別な実施態様においては、捕集器媒体を藻類の培地の中に浸漬させる。これは、バッチプロセスで実施することも、連続プロセスで実施することも可能である。バッチプロセスにおいては、捕集器媒体のバッチの、藻類の培地の中への浸漬と、環境空気への暴露とを、交互に実施する。連続プロセスにおいては、捕集器媒体を連続的に経路にそって移動させ、その経路の上で、藻類の培地の中への浸漬と空気への暴露とを交互に実施する。最も容易なやり方は、捕集器媒体の円板として、それをその中心のまわりに連続的に回転させる。その円板を、その中心点まで藻類の培地に浸して、いつの時点であっても、捕集器媒体の半分は液体の中に浸漬され、残りの半分が空気に暴露されているようにする。
【０１０１】
本発明のこの実施態様においては、捕集器媒体は、高栄養素含量の時点、および低栄養素含量の時点に、藻類の培養溶液の中に浸漬できるかもしれない。したがって、その捕集器媒体のＣＯ２容量は、その全容量の５０％〜８０％の範囲となるであろう。空気暴露の時間を調節して、性能の低下に見合うようにすることができる。
【０１０２】
図１２を参照すると、本発明のまた別な実施態様で、藻類を担持状態の捕集器溶液の中で洗浄することによって、捕集器溶液から藻類へと重炭酸ナトリウムを移送することが開示されている。しかしながら、捕集器溶液に栄養素を添加することはないであろう。その代わりに、栄養素富化した炭素欠乏性の溶液からなる、第二の分離洗浄を介して、藻類に栄養素が与えられるであろう。
【０１０３】
このプロセスにおいては、藻類は、栄養素欠乏性の重炭酸塩溶液（担持状態の捕集器溶液）と、無機炭素欠乏性の栄養素溶液３２６とに交互に浸漬されるであろう。それらの洗浄の間では、短時間の洗い流しサイクルを採用する。その洗い流しは、それに先行する洗浄液の溶液に添加する。
【０１０４】
栄養素および重炭酸塩洗浄液を循環させることによって、使用される藻類種に最適な状態となるであろう。重炭酸塩溶液（担持状態の捕集器溶液）の炭酸塩溶液（フレッシュな捕集器溶液）への転換を最適化させるためには、１種または複数の藻類種を混合してもよいし、あるいは順次に使用してもよい。フレッシュな捕集器溶液は濾過をして粒子状物質を除去し、有機分子またはその他の有害物を浄化した後で、捕集器媒体に適用する。
【０１０５】
そのプロセスは、懸濁させた藻類または固定化させた藻類を使用するように設計することができる。藻類を懸濁させる場合には、そのプロセスはバッチプロセスとして運転しなければならず、また藻類を溶液から濾過しなければならない。濾過を容易にするためには、粒子サイズを大きくするために、藻類を懸濁させたビーズに「固定化」してもよい。
【０１０６】
固定化された藻類を含むプロセスでは、自然に生長して固定化された藻類、たとえば自体表面に付着するマクロ藻類、またはバイオフィルムを形成するミクロ藻類などを使用することができる。
【０１０７】
本出願の他の箇所で開示されているその他の方法に加えて、カラム、傾斜導水路、池またはその他の容器の中で藻類を固定化することも可能である。それらの容器は、重力で流体が流れるような配置とするのがよい。それらの容器の壁面または床面上、および／またはその中に組み込まれた板、充填物などの構造物の上で、固定化させることができる。必要に応じて、天然光、人工照明、鏡、光ファイバーなどのいずれかを用いて、容器の中に光を持ち込む。
【０１０８】
図１３を参照すると、本発明のまた別な実施態様では、担持状態の捕集器溶液４１０から藻類の培養溶液４１６へ疎水性微孔質膜４３４を通過させて、ガス状のＣＯ２を移送させる。ガス状のＣＯ２は、重炭酸塩溶液から疎水性膜を通過して炭酸塩溶液の中に移行させることができ、その二つの液体流れの間のＣＯ２の分圧差は、その移送を起こさせるには十分な大きさである。水の移送は、より希薄な溶液からより濃厚な溶液へとされていた。その膜が疎水性であるために、その移送は、ガス状の水分子についてのものである。
【０１０９】
単純化すれば、そのプロセスは、微孔質の疎水性膜によって分離された二つのハーフセルと記述することができる。第一のハーフセル４３８が、担持状態の捕集器溶液（重炭酸ナトリウム溶液）を保持しているのに対して、第二のハーフセル４１８は、藻類の培地（栄養素および藻類を含む炭酸ナトリウム溶液）を保持している。
【０１１０】
捕集器溶液のハーフセルの反応は次式と定義される：
２ＨＣＯ３−（ａｑ）  →  ＣＯ２（ｇ）  ＋  ＣＯ３−２（ａｑ）  ＋  Ｈ２Ｏ
これに続いて、膜を通過してのＣＯ２（ｇ）の藻類の培地ハーフセルへの拡散が起きる。藻類の培地のハーフセルにおける反応は、下記の二つの内の一つに従うであろう：
藻類がＣＯ２（ｇ）を吸収するか、
または、
ＣＯ３−２（ａｑ）  ＋  ＣＯ２（ｇ）  ＋  Ｈ２Ｏ  →  ２ＨＣＯ３−（ａｑ）
および
ＨＣＯ３−（ａｑ）  ＋  ＯＨ−  →  ＣＯ３−２（ａｑ）  ＋  Ｈ２Ｏ
【０１１１】
ハーフセルの反応からも判るように、重炭酸塩が反応して、ガス状のＣＯ２の脱気を伴いながら炭酸塩となるにつれて、捕集器溶液の中のｐＨは連続的に高くなっていくであろう。バランスのとれた系においては、ガス状ＣＯ２が藻類の生長によってバイオマスの中に固定化されるので、藻類の培養溶液はそのｐＨを変化させないであろう。藻類の培地は、炭酸塩溶液に近いのが好ましい。その場合、それは、かなりの量の重炭酸塩を含まないであろう。この状況は、捕集器溶液と藻類の培地との間のガス状のＣＯ２分圧差を最大化させるであろう。
【０１１２】
それら二つのハーフセルの物理的配置は、本明細書に記載したような各種の形態をとることができるが、それらに限定される訳ではない。それぞれの配置では、液−膜接触面積の溶液容積に対する比率を最適化する。一般的には、藻類の培地の中に浸漬させた膜のチャンネルに捕集器溶液を通過させるのが有利であるが、その理由は、このことによって、藻類の培地に光を供給することが可能となるからである。藻類の培地が膜の導管（ｃｏｎｄｕｉｔ）の中に含まれているような場合には、その導管の内側に光を供給する。
【０１１３】
その膜の導管は各種の形状をとることができる。たとえば、それらは平行な膜のシートであってもよく、それによって、膜の間に挟まれた溶液がシート状の流れとなる。あるいは、それらが筒状であって、その筒の断面が各種の形態、たとえば、円、正方形、長方形、波形などをとっていてもよい。溶液の中での経路の長さを大きくする目的で、筒がらせん状またはその他の形状になっていてもよい。
【０１１４】
そのプロセスは、バッチプロセス、連続ループプロセス、またはそれらの各種組合せとして、実施することができる。必要に応じて、光と栄養素を供給する。
【０１１５】
純粋なバッチプロセスにおいては、１バッチの担持状態の捕集器溶液を、１バッチの藻類の培地と膜接触させ、平衡に達するまで放置する。
【０１１６】
純粋な連続ループプロセスにおいては、両方の溶液を連続ループ中に流す。担持状態の捕集器溶液を、膜の経路に流し、そこを流れている間に、それがガス状のＣＯ２を藻類溶液に移送させ、それから捕集器媒体のための再生系に入り、そこで、ＣＯ２を担持してから、膜の導管の中に再びはいる。藻類溶液は、膜の経路を通過して流れ、藻類がガス状のＣＯ２を固定化し、そこから、収穫系４２０に入り、そこで藻類の一部または全部を溶液から取り出し、次いで、新規なＣＯ２の固定化および藻類の生長をさせるために、膜系の中に再びはいる。連続流れまたはループプロセスでは、それら二つの流れは並流でも、あるいは向流でも使用することができる。
【０１１７】
疎水性膜を通過させてＣＯ２を移送させることの主なメリットは、藻類の培地から捕集器溶液へとイオンが横断できない点にある。藻類溶液の中に含まれるカチオンには、アルカリ土類金属が含まれており、それが、ｐＨが上昇したときに捕集器溶液の経路に沿ってスケーリングを起こす可能性がある。藻類溶液の中に含まれるアニオンたとえば、硝酸塩および硫酸塩は、捕集器媒体上の炭酸塩と競合し、そのために、捕集器媒体のＣＯ２保持能力を低下させる。したがって、イオン類が捕集器溶液の中へ入らないようにするのが有利である。藻類のための栄養素の構成成分であるイオンが、捕集器溶液の中に入っていけないために、藻類の培地の栄養素の含量を、藻類を生長させるための最適な濃度に常に保つことができる。
【０１１８】
それに加えて、従来技術が開示していることであるが、疎水性で、さらには疎有機性でもある膜は、藻類溶液から捕集器溶液への有機分子の移送を妨害することができる。捕集器溶液の中へ移送される可能性がある各種の有機物が、それが捕集器媒体の中へ入る前に、捕集器溶液から除去されるであろう。たとえば、このことは、イオン交換樹脂の上に有機化合物を捕捉させることによって実施することができる。
【０１１９】
膜は、その疎水性、ＣＯ２透過性、疎有機性、および水漏出圧力などの面から選択される。このプロセスに好適な藻類は、炭酸塩溶液中で繁茂し、ガス状のＣＯ２と重炭酸塩の両方を利用できるようなものである。しかしながら、プロセス全体を最適化する目的でその他の藻類もまた使用することができる。
【０１２０】
図１４を参照すると、本発明のまた別な実施態様では、捕集器溶液４１０から藻類の培養溶液４１８の中へ、アニオン透過性の膜を通して重炭酸塩を移送している。捕集器溶液を、そのアニオン透過性の膜４３４の一方の側と接触状態にさせ、それに対して藻類の培養溶液を、その膜のもう一方の側と接触状態にさせる。
【０１２１】
それらの溶液が、濃度勾配に従ってアニオンを交換する。このイオン交換を最適化するためには、溶液を向流で膜面に流すことができる。系の他の部分を最適化する目的で、それらの溶液を並流で流すことも可能である。別な方法として、そのプロセスを、連続流動プロセスよりはバッチプロセスとして設定することもできる。
【０１２２】
藻類の培養溶液は、溶液中に懸濁された藻類と共に、あるいは藻類なしで、そのアニオン交換プロセスの中に導入することができる。図１５を参照されたい。溶解されている有機化合物は、膜チャンバーに入るより前に、その藻類の培養溶液から除去することができる。
【０１２３】
栄養素の影響は先に説明した通りである。藻類を含む藻類の培地全体を膜交換器の中へ入れる場合には、その栄養素濃度が高く、捕集器溶液が高い栄養素濃度を得るであろう。このことによって、捕集器媒体のＣＯ２取り込み容量が５０％にまで低下する。藻類を含まない培養溶液を膜交換器の中へ入れる場合には、そのプロセスを、栄養素欠乏性の溶液が入るように設定することが可能であり、その場合、捕集器の容量の低下は２０％までとなるであろう。
【０１２４】
二つの溶液の間でカチオンが交換されることはなく、このことは、スケーリングの可能性を大幅に低下させる。
【０１２５】
別な方法として、藻類バイオリアクターの合成燃料製造ユニットに捕捉したＣＯ２を直接注入することも可能である。特に単純な設計では、湿度感受性イオン交換樹脂を担持している、パドルホイールまたはディスクまたは類似のものを備えさせ、それを、空気からＣＯ２を抽出する、主として水の表面より上に暴露させ、次いで徐々に回転させて、一部分を水の表面より下へ沈めて、そこでＣＯ２を放出させて、空気から水へのＣＯ２の高い移送率を得る。
【０１２６】
図１６を参照すると、また別な実施態様においては、第一の例示的な実施態様と同様の、抽出ステーション１４０においてややアルカリ性の洗浄水を用いてイオン交換樹脂にシャワーして、バイオリアクターからの水の蒸発ロスおよび製造ロスを補給することが可能である。洗浄水が第一樹脂の上をしたたり流れるので、それが結合されたＣＯ２を拾い上げ、それをバイオリアクター系１４２の中へ垂らしこむ。
【０１２７】
別な方法として、図１７に示しているように、夜間に樹脂１４２を水に加えておいて、呼吸のために藻類から失われる可能性があるＣＯ２を保持してもよい。したがって、本願発明者らは、夜間にバイオリアクターからのＣＯ２の放出を防止することによって、藻類のＣＯ２取り込み効率を改良することが可能である。そのような実施態様においては、第二の樹脂が系における炭素バッファーとして機能する。夜間には、このバッファーが藻類によって放出されたＣＯ２を貯蔵し、それに対して日中はそれが藻類に対してＣＯ２を供給するが、ただし、そのＣＯ２含量は、空気捕集器によって捕集されたＣＯ２によって補充されてもよい。一旦捕捉されれば、ＣＯ２は、第一樹脂を再生するために使用されたより高濃度の洗浄液から樹脂に移送される。空気捕集器から藻類を排除するための水の濾過は一般的に問題とはならないが、その理由は、空気側の第一樹脂が、サイクルの間では完全に乾燥されるように設計されているからである。
【０１２８】
第二樹脂へのこの移送もまた、図１に示したような、水との直接的な接触を避ける湿度スイングを実施することによって、低圧力の密閉加湿系の中での直接的な接触なしで実施することが可能である。そのような系は、ＣＯ２をガス相に戻さないという上述の利点を失いはするが、それは、化学薬品を使用することなく、藻類池を一定のｐＨとする緩衝作用という別な利点を有するであろう。
【０１２９】
本発明の一つの好ましい実施態様においては、水のロスを低下させ、収量を増やし、藻類をよりよく限定するために、本願発明者らは、集光器を有するバイオリアクターを採用する。そのような系は、光ファイバーの光パイプに光を供給する鏡または反射系によって取り囲んだガラス管で構成されていて、大容量の液体全体に光を分散させる。集光器を有するバイオリアクターを使用することの利点は、それらによって水の表面が大幅に減少し、そのために水のロスが減少する点にある。したがって、藻類リアクターを直接妨害することなく、ＣＯ２をすぐ近くで捕集することができる。実際のところ、空気捕集器は、空気流れを作るために鏡系を利用することができる。
【０１３０】
藻類は典型的には、光が流入している時間帯ではＣＯ２を固定化し、暗黒サイクルにはＣＯ２を吐き出す。さらなる捕集器媒体を系の戦略的な位置に追加することによって、ＣＯ２を捕捉する。その捕集器媒体は、たとえば、藻類の培地の中に浸漬させることができる。この場合においては、呼吸の際には、培養溶液のｐＨが低くなるために、それが重炭酸塩を蓄積して炭酸塩を放出するが、光合成の間では、培養溶液のｐＨが高くなるために、それが重炭酸塩を放出し、炭酸塩を蓄積することになるであろう。
【０１３１】
捕集器媒体はさらに、培養溶液から放出されたＣＯ２を吸収させるために、藻類の培地に近接した空間に配置することも可能である。このことは、密閉構造の場合には特に有効となるであろう。培養溶液の近傍に配置された捕集器媒体は、先に挙げたプロセスの一つを使用して再生されるであろう。
【０１３２】
本出願には、プロセスを最適化させるのに必要な藻類の培地の各種の組合せを使用した、本特許に記載された無機炭素の移送方法の各種の組合せを含むものとする。最適化に含まれるのは、炭素移送効率、炭素移送速度、バイオマスの市場価値（たとえば脂肪含量、デンプン含量など）、藻類の産生効率、および各種気候条件または気候調節条件下における藻類の生長速度などであるが、これらに限定される訳ではない。
【０１３３】
本発明について、環境空気からＣＯ２を抽出し、その抽出されたＣＯ２を湿度スイングによって温室に送達させるための、湿度感受性イオン交換樹脂材料を採用した好ましい実施態様に関連させて説明してきたが、本発明に伴う利点は、本願発明者らの上述の特許文献１および特許文献２（代理人整理番号グローバル（Ｇｌｏｂａｌ）０５．０２ＰＣＴ）に記載された、いくつかのスキームに従った吸収剤を使用して環境空気から二酸化炭素を抽出すること、ならびに吸収剤を適切に操作することによって温室の中へ抽出されたＣＯ２を放出させることによって実現することができる。
【図１】
0005849327.tif 000003
【図２】
0005849327.tif 000004
【図３】
0005849327.tif 000005
【図４】
0005849327.tif 000006
【図５】
0005849327.tif 000007
【図６】
0005849327.tif 000008
【図７】
0005849327.tif 000009
【図８】
0005849327.tif 000010
【図９】
0005849327.tif 000011
【図１０】
0005849327.tif 000012
【図１１】
0005849327.tif 000013
【図１２】
0005849327.tif 000014
【図１３】
0005849327.tif 000015
【図１４】
0005849327.tif 000016
【図１５】
0005849327.tif 000017
【図１６】
0005849327.tif 000018
【図１７】
0005849327.tif 000019